(57)【要約】【課題】限られた面積の狭い敷地を有効利用して、お墓を簡単に追加設置していくことができるユニット式のお墓を提供することを目的とする。【解決手段】地面に設置される基礎ユニット２と、基礎ユニット２上に設置される墓ユニット１０と、墓ユニット１０の倒壊防止手段２０とから成る。基礎ユニット２は棒状の横部材３と縦部材４を平面視して矩形枠状に結合した複数の枠ユニットＡから成り、また墓ユニット１０は納骨室部１１上に下台１２と上台１３と竿台１４を積み重ねて成り、枠ユニットＡ上に設置される。倒壊防止手段２０は、縦部材３と横部材４の交差部に立設される支柱２１，２１’と、支柱２１と支柱２１’の間に立設される壁部材２２とから成り、墓ユニット１０は納骨室１１の開閉扉付き前面を除く３面を壁部材２２により囲まれるようにした。【選択図】図１
2010090535.tif 000002
【特許請求の範囲】
【請求項１】
地面に設置される基礎ユニットと、基礎ユニット上に設置される墓ユニットと、墓ユニットの倒壊防止手段とから成るユニット式お墓であって、
前記基礎ユニットは棒状の横部材と縦部材を平面視して矩形枠状に結合した複数の枠ユニットから成り、また前記墓ユニットは納骨室部上に台部と竿台を積み重ねて成り且つ前記枠ユニット上に設置されるものであり、また前記倒壊防止手段は、前記縦部材と前記横部材の交差部に立設される支柱と、支柱の側面に形成されたタテ溝に両側端部を嵌入させて支柱と支柱の間に立設される壁部材とから成り、前記墓ユニットは前記納骨室の開閉扉付き前面を除く３面を壁部材により囲まれるようにしたことを特徴とするユニット式お墓。
【請求項２】
前記タテ溝に接着材を塗布することにより、前記壁部材の両側端部を前記タテ溝の内部に固着するようにしたことを特徴とする請求項１記載のユニット式お墓。
【発明の詳細な説明】
【技術分野】
【０００１】
本発明は、お墓を簡単に追加設置できるようにしたユニット式お墓に関するものである。
【背景技術】
【０００２】
お墓は地面に墓石を積み重ねて建立されるものであり、かなりの敷地面積を必要とする。寺院の所有面積は限られており、寺院内の敷地に建立可能な墓の数は限られる。このため寺院は、お墓に替る納骨堂を建立することも多い。納骨堂内には例えばタテ５０ｃｍ、ヨコ３０ｃｍ程度の納骨室がコインロッカーのように多数個並設される。檀家は、寺院から納骨室を購入して納骨する。
【発明の開示】
【発明が解決しようとする課題】
【０００３】
納骨堂は一般家屋とは相違する特殊建築物であって、きわめて長い耐用年数、きわめて大きな耐震構造、信頼性の高い空調設備等が要求されるので、納骨堂の建立費や保守管理費はきわめて高い。したがって寺院としては、納骨堂内に多数個の納骨室を設置し、多くの檀家に多数個購入してもらわなければ建立費を回収できず、また保守管理もできず、寺院は経済的に困窮することになりかねない。以上のことから、多くの寺院は納骨堂の建立に踏みきれない実状にある。その一方で、屋外の墓地用の敷地面積も限られていることは上述したとおりである。
【０００４】
そこで本発明は、寺院の限られた面積の狭い敷地を有効利用して、お墓を簡単に追加設置していくことができるユニット式のお墓を提供することを目的とする。
【課題を解決するための手段】
【０００５】
このために本発明は、地面に設置される基礎ユニットと、基礎ユニット上に設置される墓ユニットと、墓ユニットの倒壊防止手段とからユニット式お墓を構成する。そして前記基礎ユニットは棒状の横部材と縦部材を平面視して矩形枠状に結合した複数の枠ユニットから成り、また前記墓ユニットは納骨室部上に台部と竿台を積み重ねて成り且つ前記枠ユニット上に設置されるものであり、また前記倒壊防止手段は、前記縦部材と前記横部材の交差部に立設される支柱と、支柱の側面に形成されたタテ溝に両側端部を嵌入させて支柱と支柱の間に立設される壁部材とから成り、前記墓ユニットは前記納骨室の開閉扉付き前面を除く３面を壁部材により囲まれるようにした。
【０００６】
また望ましくは、前記タテ溝に接着材を塗布することにより、前記壁部材の両側端部を前記タテ溝の内部に固着するようにした。
【発明の効果】
【０００７】
本発明は、お墓を基礎ユニット、墓ユニット、倒壊防止手段の３つの部分から構成しているので、基礎ユニットを予め大きく設置して枠ユニットを多数個確保しておくことにより、檀家からの注文に応じて枠ユニットの上に墓ユニットを順次追加設置していくことができる。したがって上述した納骨堂のように納骨室が売れ残って寺院が経済的に困窮することはない。また各墓ユニットは前面を除く３面を壁部材で囲まれているので、地震による倒壊もより確実に防止できる。
【発明を実施するための最良の形態】
【０００８】
図１は本発明の一実施の形態におけるユニット式お墓の全体斜視図、図２は同基礎ユニットの平面図、図３は同基礎ユニットの部分平面図、図４（ａ）は同基礎ユニットの部分断面図、図４（ｂ）は同基礎ユニットのアンカー用アーム部材の平面図である。
【０００９】
図１において、ユニット式お墓１は、基礎ユニット２と、基礎ユニット２上に設置される墓ユニット１０と、墓ユニット１０の倒壊を防止する倒壊防止手段２０から成っている。
【００１０】
図１および図２において、基礎ユニット２は寺院の敷地内等の地面に設置されるものであって、棒状の横部材３と縦部材４を平面視して矩形枠状に結合して成っており、矩形の枠ユニットＡが２列で横方向に多数個（複数個）確保されている。横部材３と縦部材４は鉄筋コンクリート製である。図４（ａ），（ｂ）において、横部材３の下面にはアンカー用の第１のアーム部材６ａの一端立上り部が挿着されている。第１のアーム部材６ａの他端立上り部には第２のアーム部材６ｂの先端部が係着されている。第２のアーム部材６ｂの他端立下り部を鉄筋コンクリート基礎７まで挿入することにより、横部材３は地面上にしっかり固定して設置される。鉄筋コンクリート基礎７上には、後工程でコンクリート８が打ち込まれる。
【００１１】
図１において、墓ユニット１０は、納骨部１１、台部（下台１２、上台１３）、竿台１４等を積み重ねて成っている。納骨部１１の前面は観音式の開閉扉１５になっている。１つの墓ユニット１０は、１つの枠ユニットＡ上に設置される。枠ユニットＡの寸法は、例えばタテ、ヨコ共に６０ｃｍ若しくは９０ｃｍである。
【００１２】
次に倒壊防止手段２０について説明する。倒壊防止手段２０は、横部材３と縦部材４の交差部に立設される支柱２１，２１’と、２本の支柱２１，２１’間に立設される壁部材２２から成っている。図３に示すように、支柱２１，２１’の平断面は矩形であって、その側面にはタテ溝２３が形成されている。このタテ溝２３にエポキシ樹脂などの接着材２４を塗布し、壁部材２２の両側端部を左右の支柱２１，２１’のタテ溝２３に上方から装入することにより、壁部材２２は基礎ユニット２上に立設される。
【００１３】
図１において、墓ユニット１０の納骨部１１の開閉扉１５が設けられた前面を除く３つの側面は壁部材２２によって囲まれ、これにより地震等による墓ユニット１０の倒壊を防止する。
【００１４】
図１において、基礎ユニット２を予め大きく（枠ユニットＡの個数を多く）構築しておけば、墓ユニット１０は後から枠ユニットＡ上に追加設置していくことができる。したがって寺院は予め枠ユニットＡの個数に余裕をもって基礎ユニット２を構築しておけば、檀家の注文を受け次第、枠ユニットＡ上に墓ユニット１０を追加して設置していくことができる。勿論この場合、支柱２１，２１’や壁部材２２も追加設置する。
【産業上の利用可能性】
【００１５】
本発明は、お墓を基礎ユニット、墓ユニット、倒壊防止手段の３つの部分から構成しているので、基礎ユニットを予め大きく設置して枠ユニットを多数個確保しておくことにより、檀家からの注文に応じて枠ユニットの上に墓ユニットを順次追加設置していくことができる。したがって上述した納骨堂のように納骨室が売れ残って寺院が経済的に困窮することはない。また各墓ユニットは前面を除く３面を壁部材で囲まれているので、地震による倒壊もより確実に防止できる。
【図面の簡単な説明】
【００１６】
【図１】本発明の一実施の形態におけるユニット式お墓の全体斜視図
【図２】本発明の一実施の形態における基礎ユニットの平面図
【図３】本発明の一実施の形態における基礎ユニットの部分平面図
【図４】（ａ）本発明の一実施の形態における基礎ユニットの部分断面図（ｂ）本発明の一実施の形態における基礎ユニットのアンカー用アーム部材の平面図
【符号の説明】
【００１７】
１  ユニット式お墓
２  基礎ユニット
３  横部材
４  縦部材
１０  墓ユニット
１５  開閉扉
２０  倒壊防止手段
２１，２１’  支柱
２２  壁部材
２３  タテ溝
２４  接着材
Ａ  枠ユニット
【図１】
2010090535.tif 000003
【図２】
2010090535.tif 000004
【図３】
2010090535.tif 000005
【図４】
2010090535.tif 000006